(57)【特許請求の範囲】
【請求項１】
地図情報を格納し得る地図格納部と、
目的地を示す目的地情報と、前記目的地の周辺の駐車場の位置を示す駐車場情報とを格納し得る目的地格納部と、
現在地の位置を示す現在位置情報を取得する現在位置情報取得部と、
前記目的地情報を受け付ける受付部と、
前記地図情報を用いて、前記受付部が受け付けた前記目的地情報に関する前記駐車場情報を取得する駐車場情報取得部と、
前記受付部が受け付けた前記目的地情報と、前記駐車場情報取得部が取得した前記駐車場情報とを前記目的地格納部に蓄積する目的地蓄積部と、
前記駐車場情報を車載装置に送信する送信部と、
前記駐車場情報に対応する駐車場に到着した旨を示す駐車場到着情報を、前記車載装置から受信する受信部と、
前記地図情報を用いて、前記現在地から前記駐車場までの車両用経路情報を取得する経路探索部と、
前記車両用経路情報を用いて経路案内を行う経路案内部と、
前記地図情報と、前記目的地格納部に格納される前記目的地情報と、前記目的地格納部に格納される前記駐車場情報とを出力する出力部とを備え、
前記経路探索部は、前記受信部が前記駐車場到着情報を受信した後に、前記駐車場情報に対応する前記駐車場から前記目的地情報が示す前記目的地までの徒歩用経路情報を取得し、
前記経路案内部は、前記徒歩用経路情報を用いて経路案内を行い、
前記出力部は、前記駐車場情報に対応する前記駐車場に到着するまでは、車載ナビゲーション用の前記地図情報を出力し、前記受信部が前記駐車場到着情報を受信した後に、徒歩ナビゲーション用の前記地図情報を出力する端末装置。
【請求項２】
前記経路探索部は、前記駐車場までの経路探索のアルゴリズムと、前記駐車場から前記目的地までの経路探索のアルゴリズムとが異なる経路探索を行う請求項１記載の端末装置。
【請求項３】
前記駐車場情報取得部は、前記受付部が受け付けた前記目的地情報が示す前記目的地の周辺の前記駐車場の位置を示す１または２以上の前記駐車場情報を取得し、
前記受付部は、前記駐車場情報取得部が取得した１または２以上の前記駐車場情報に対応する前記駐車場の中から、一の前記駐車場の選択を受け付け、
前記目的地蓄積部は、前記受付部が受け付けた前記目的地情報と、前記受付部が受け付けた選択に対応する前記駐車場情報とを前記目的地格納部に蓄積する請求項１から請求項２いずれか一項に記載の端末装置。
【請求項４】
前記目的地蓄積部は、前記駐車場情報取得部が一つの前記駐車場情報のみを取得した場合は、前記受付部が受け付けた前記目的地情報と当該一つの前記駐車場情報とを前記目的地格納部に自動的に蓄積し、前記駐車場情報取得部が２以上の前記駐車場情報を取得した場合は、前記受付部が受け付けた前記目的地情報と前記受付部が受け付けた選択に対応する前記一の前記駐車場情報とを前記目的地格納部に蓄積する請求項３記載の端末装置。
【請求項５】
前記受信部は、前記車載装置から現在の位置を示す前記現在位置情報を受信し、
前記目的地蓄積部は、前記受信部が受信した前記現在位置情報を前記目的地格納部に蓄積する請求項１から請求項４いずれか一項に記載の端末装置。
【請求項６】
前記受信部は、前記車載装置が搭載されている移動体が予め決められた条件を満たした場合に、前記車載装置から前記現在位置情報を受信する請求項５記載の端末装置。
【請求項７】
地図情報を格納し得る地図格納部と、目的地を示す目的地情報と、前記目的地の周辺の駐車場の位置を示す駐車場情報とを格納し得る目的地格納部と、現在位置情報取得部と、受付部と、駐車場情報取得部と、目的地蓄積部と、送信部と、受信部と、経路探索部と、経路案内部と、出力部により実現される情報処理方法であって、
前記現在位置情報取得部が、現在地の位置を示す現在位置情報を取得する現在位置情報取得ステップと、
前記受付部が、前記目的地情報を受け付ける受付ステップと、
前記経路探索部が、前記地図情報を用いて、前記現在地から前記駐車場までの車両用経路情報を取得する第一の経路探索ステップと、
前記経路案内部が、前記車両用経路情報を用いて経路案内を行う第一の経路案内ステップと、
前記出力部が、前記地図情報と、前記目的地格納部に格納される前記目的地情報と、前記目的地格納部に格納される前記駐車場情報とを出力する第一の出力ステップと、
前記駐車場情報取得部が、前記地図情報を用いて、前記受付ステップで受け付けられた前記目的地情報に関する前記駐車場情報を取得する駐車場情報取得ステップと、
前記目的地蓄積部が、前記受付ステップで受け付けられた前記目的地情報と、前記駐車場情報取得ステップで取得された前記駐車場情報とを前記目的地格納部に蓄積する目的地蓄積ステップと、
前記送信部が、前記駐車場情報を車載装置に送信する送信ステップと、
前記受信部が、前記駐車場情報に対応する前記駐車場に到着した旨を示す駐車場到着情報を、前記車載装置から受信する受信ステップと、
前記経路探索部が、前記受信ステップで前記駐車場到着情報を受信した後に、前記駐車場から前記目的地までの徒歩用経路情報を取得する第二の経路探索ステップと、
前記経路案内部が、前記徒歩用経路情報を用いて経路案内を行う第二の経路案内ステップと、
前記出力部は、前記駐車場情報に対応する前記駐車場に到着するまでは、車載ナビゲーション用の前記地図情報を出力し、前記受信ステップが前記駐車場到着情報を受信した後に、徒歩ナビゲーション用の前記地図情報を出力する第二の出力ステップとを具備する情報処理方法。
【請求項８】
地図情報を格納し得る地図格納部と、目的地を示す目的地情報と、当該目的地情報が示す目的地の周辺の駐車場の位置を示す駐車場情報とを格納し得る目的地格納部とにアクセス可能なコンピュータを、
現在地の位置を示す現在位置情報を取得する現在位置情報取得部と、
前記目的地情報を受け付ける受付部と、
前記地図情報を用いて、前記現在地から前記駐車場までの車両用経路情報を取得する経路探索部と、
前記車両用経路情報を用いて経路案内を行う経路案内部と、
前記地図情報と、前記目的地格納部に格納される前記目的地情報と、前記目的地格納部に格納される前記駐車場情報とを出力する出力部と、
前記地図情報を用いて、前記受付部が受け付けた前記目的地情報に関する前記駐車場情報を取得する駐車場情報取得部と、
前記受付部が受け付けた前記目的地情報と、前記駐車場情報取得部が取得した前記駐車場情報とを前記目的地格納部に蓄積する目的地蓄積部と、
前記駐車場情報を車載装置に送信する送信部と、
前記駐車場情報に対応する前記駐車場に到着した旨を示す駐車場到着情報を、前記車載装置から受信する受信部として機能させるためのプログラムであって、
前記経路探索部が、前記受信部が前記駐車場到着情報を受信した後に、前記駐車場情報に対応する前記駐車場から前記目的地情報が示す前記目的地までの徒歩用経路情報を取得し、
前記経路案内部が、前記徒歩用経路情報を用いて経路案内を行い、
前記出力部が、前記駐車場情報に対応する前記駐車場に到着するまでは、車載ナビゲーション用の前記地図情報を出力し、前記受信部が前記駐車場到着情報を受信した後に、徒歩ナビゲーション用の前記地図情報を出力するものとして、前記コンピュータを機能させるためのプログラム。
【発明の詳細な説明】
【技術分野】
【０００１】
本発明は、地図情報を出力する端末装置等に関するものである。
【背景技術】
【０００２】
従来、目的地に駐車場が併設されていない施設を目的地として経路案内する場合には、目的地付近に着いてから、ユーザが周辺検索を行うことにより、自車位置周辺や目的地周辺の駐車場を検索して表示し、その中からユーザが１つの駐車場を選択するようなナビゲーション装置があった（例えば、特許文献１参照）。
【先行技術文献】
【特許文献】
【０００３】
【特許文献１】特開２００６−３０８５５４号公報
【発明の概要】
【発明が解決しようとする課題】
【０００４】
しかしながら、従来技術においては、対応付いた駐車場が存在しない目的地を示す目的地情報が受け付けられた場合に、目的地周辺の駐車場の位置情報を取得し、容易に利用できなかった。なお、対応付いた駐車場とは、施設等の目的地と提携している駐車場として、予め地図情報に駐車場情報が存在している駐車場である。
【課題を解決するための手段】
【０００５】
本第一の発明の端末装置は、地図情報を格納し得る地図格納部と、目的地を示す目的地情報と、目的地情報が示す目的地の周辺の駐車場の位置を示す駐車場情報とを格納する目的地格納部と、目的地を示す目的地情報を受け付ける受付部と、地図情報を用いて、受付部が受け付けた目的地情報が示す目的地の周辺の駐車場に関する駐車場情報を取得する駐車場情報取得部と、受付部が受け付けた目的地情報と、駐車場情報取得部が取得した駐車場情報とを目的地格納部に蓄積する目的地蓄積部とを具備する端末装置である。
【０００６】
かかる構成により、対応付いた駐車場が存在しない目的地を示す目的地情報が受け付けられた場合でも、目的地周辺の駐車場の位置情報を取得し、容易に利用できる。
【０００７】
また、本第二の発明の端末装置は、第一の発明に対して、現在地の位置を示す現在位置情報を取得する現在位置情報取得部と、地図情報を用いて、現在位置情報が示す現在地から駐車場情報に対応する駐車場までの経路探索を行い、経路情報を取得する経路探索部と、経路情報を用いて経路案内を行う経路案内部と、地図情報と、目的地格納部に格納される目的地情報と、目的地格納部に格納される駐車場情報とを出力する出力部とをさらに具備する端末装置である。
【０００８】
かかる構成により、対応付いた駐車場が存在しない目的地を示す目的地情報が受け付けられた場合でも、目的地周辺の駐車場の位置情報を取得し、現在地から駐車場までの経路案内ができる。
【０００９】
また、本第三の発明の端末装置は、第一の発明に対して、駐車場情報に対応する駐車場に到着した旨の情報を取得する判断部をさらに具備し、出力部は、判断部が、駐車場情報に対応する駐車場に到着した旨の情報を取得した場合、地図情報の出力を変更する端末装置である。
【００１０】
かかる構成により、駐車場に到着した後に、徒歩によるナビゲーションが容易になるように、地図情報の出力を変更できる。
【００１１】
また、本第四の発明の端末装置は、第三の発明に対して、出力部は、駐車場情報に対応する駐車場に到着するまでは、車載ナビゲーション用の地図情報を出力し、判断部が、駐車場情報に対応する駐車場に到着したと判断した場合、徒歩ナビゲーション用の地図情報を出力する端末装置である。
【００１２】
かかる構成により、駐車場に到着した後に、徒歩によるナビゲーションが容易になる。
【００１３】
また、本第五の発明の端末装置は、第二の発明に対して、経路探索部は、駐車場情報に対応する示す駐車場から目的地情報が示す目的地までの経路探索をも行い、かつ駐車場までの経路探索のアルゴリズムと駐車場から目的地までの経路探索のアルゴリズムとが異なるように、経路探索を行う端末装置である。
【００１４】
かかる構成により、駐車場に到着する前と到着した後とは、異なる経路であり、それぞれの適切な経路を提示できる。
【００１５】
また、本第六の発明の端末装置は、第一から第五いずれか１つの発明に対して、駐車場情報取得部は、受付部が受け付けた目的地情報が示す目的地の周辺の駐車場の位置を示す１または２以上の駐車場情報を取得し、受付部は、駐車場情報取得部が取得した１または２以上の駐車場情報に対応する駐車場の中から、一の駐車場の選択を受け付け、目的地蓄積部は、受付部が受け付けた目的地情報と、受付部が受け付けた選択に対応する駐車場情報とを目的地格納部に蓄積する端末装置である。
【００１６】
かかる構成により、対応付いた駐車場が存在しない目的地を示す目的地情報が受け付けられた場合でも、目的地周辺のユーザが好む駐車場の位置情報を取得し、容易に利用できる。
【００１７】
また、本第七の発明の端末装置は、第六の発明に対して、目的地蓄積部は、駐車場情報取得部が一つの駐車場情報のみを取得した場合は、受付部が受け付けた目的地情報と一つの駐車場情報とを目的地格納部に自動的に蓄積し、駐車場情報取得部が２以上の駐車場情報を取得した場合は、受付部が受け付けた目的地情報と受付部が受け付けた選択に対応する一の駐車場情報とを目的地格納部に蓄積する端末装置である。
【００１８】
かかる構成により、対応付いた駐車場が存在しない目的地を示す目的地情報が受け付けられた場合でも、目的地周辺の駐車場の位置情報を取得し、容易に利用できる。
【００１９】
また、本第八の発明の端末装置は、第一から第七いずれか１つの発明に対して、目的地格納部に格納されている目的地情報と駐車場情報のうちのいずれか１以上を車載装置に送信する送信部をさらに具備する端末装置である。
【００２０】
かかる構成により、目的地情報または駐車場情報を車載装置で利用できる。
【００２１】
また、本第九の発明の端末装置は、第一から第八いずれか１つの発明に対して、車載装置から現在位置情報を受信する受信部をさらに具備し、目的地蓄積部は、受信部が受信した現在位置情報を目的地格納部に蓄積する端末装置である。
【００２２】
かかる構成により、車載装置から受信した現在位置情報を利用できる。
【００２３】
また、本第十の発明の端末装置は、第九の発明に対して、受信部は、車載装置が搭載されている移動体が予め決められた条件を満たした場合に、車載装置から現在位置情報を受信する端末装置である。
【００２４】
かかる構成により、車載装置から受信した現在位置情報を利用できる。
【発明の効果】
【００２５】
本発明による情報システムによれば、対応付いた駐車場が存在しない目的地を示す目的地情報が受け付けられた場合でも、目的地周辺の駐車場の位置情報を取得し、容易に利用できる。
【図面の簡単な説明】
【００２６】
【図１】実施の形態１における情報システムの概念図
【図２】同情報システムのブロック図
【図３】同端末装置１の動作について説明するフローチャート
【図４】同車載装置２の動作について説明するフローチャート
【図５】同画面出力例を示す図
【図６】同画面出力例を示す図
【図７】同画面出力例を示す図
【図８】同端末装置１の構造を示すブロック図
【図９】同コンピュータシステムの概観図
【図１０】同コンピュータシステムのブロック図
【発明を実施するための形態】
【００２７】
以下、情報システム等の実施形態について図面を参照して説明する。なお、実施の形態において同じ符号を付した構成要素は同様の動作を行うので、再度の説明を省略する場合がある。
【００２８】
（実施の形態１）
本実施の形態において、目的地情報の入力により、自動的に周辺の駐車場を検索し、駐車場の位置情報と目的地情報とを蓄積し、利用する情報システムについて説明する。
【００２９】
また、本実施の形態において、目的地情報の入力により、自動的に周辺の駐車場を検索し、駐車場を目的地に自動設定し、経路探索等を行う端末装置を具備する情報システムについて説明する。
【００３０】
また、本実施の形態において、駐車場に到着後、地図の表示が変更される端末装置を具備する情報システムについて説明する。例えば、端末装置は、車載用のナビゲーション装置から、徒歩用のナビゲーション装置の表示になる。
【００３１】
また、本実施の形態において、検索された目的地周辺の１または２以上の駐車場から、ユーザが一の駐車場を選択できる端末装置を具備する情報システムについて説明する。
【００３２】
また、本実施の形態において、目的地情報または決定された駐車場位置情報を車載装置に送信する端末装置を具備する情報システムについて説明する。
【００３３】
また、本実施の形態において、車載装置から自車位置を受信し、利用する端末装置を具備する情報システムについて説明する。なお、予め決められた条件を満たした場合に、自車位置を受信する端末装置を具備する情報システムについて説明する。
【００３４】
図１は、本実施の形態における情報システムの概念図である。情報システムは、端末装置１、車載装置２を備える。端末装置１は、通常、携帯可能な端末である。端末装置１は、例えば、いわゆるスマートフォン、携帯電話、タブレット端末、ノートパソコン等である。車載装置２は、例えば、車載用のナビゲーションである。車載装置２は、自動車や二輪車等の移動体に固定されている必要はなく、着脱可能であっても良い。車載装置２は、いわゆるスマートフォン、タブレット端末等でも良い。なお、移動体とは、通常、自動車であるが、二輪車、自転車等でも良い。また、駐車場は、通常、自動車の駐車場であるが、二輪車や自転車の駐輪場でも良い。
【００３５】
図２は、本実施の形態における情報システムのブロック図である。
【００３６】
端末装置１は、格納部１１、受付部１２、処理部１３、出力部１４、送信部１５、および受信部１６を備える。
【００３７】
格納部１１は、地図格納部１１１、および目的地格納部１１２を備える。
【００３８】
処理部１３は、駐車場情報取得部１３１、目的地蓄積部１３２、現在位置情報取得部１３３、経路探索部１３４、経路案内部１３５、および判断部１３６を備える。
【００３９】
車載装置２は、車載格納部２０、車載受付部２１、車載受信部２２、車載処理部２３、車載出力部２４、および車載送信部２５を備える。
【００４０】
端末装置１を構成する格納部１１は、種々の情報を格納し得る。種々の情報とは、例えば、後述する地図情報、目的地情報、駐車場情報等である。
【００４１】
地図格納部１１１は、地図情報を格納し得る。地図情報は、通常、経路探索、ナビゲーションに使用し得る地図の情報である。地図情報は、通常、地点を示す地点情報、駐車場に関する駐車場情報を有する。地点情報は、例えば、地点の名称と地点の位置を示す位置情報を有する。地点情報は、例えば、地点の種類を示す情報、地点を識別する地点ＩＤ等を有しても良い。駐車場情報は、通常、駐車場の位置を示す駐車場位置情報を有する。駐車場情報は、駐車場の名称や、駐車場を識別するＩＤ等を有しても良い。また、駐車場位置情報は、通常、（緯度,経度）であるが、位置を決定できる情報であれば何でも良い。地図情報は、Ｋｉｗｉ等、フォーマットやデータ構造等は問わない。
【００４２】
また、地図格納部１１１は、車載ナビゲーション用の地図情報、徒歩ナビゲーション用の地図情報といった、異なる種類の地図情報を格納していることは好適である。
【００４３】
目的地格納部１１２は、目的地情報と、目的地情報が示す目的地の周辺の駐車場に関する情報である駐車場情報とを格納し得る。
【００４４】
目的地情報とは、目的地を示す情報である。目的地情報は、例えば、目的地の名称、目的地の位置を示す目的地位置情報、目的地を識別する目的地ＩＤなどである。なお、目的地位置情報は、通常、（緯度,経度）であるが、位置を決定できる情報であれば何でも良い。
【００４５】
目的地格納部１１２に格納されている目的地情報は、受付部１２が受け付けた目的地情報と異なるデータでも良い。つまり、受付部１２が受け付けた目的地情報が目的地の名称であり。目的地格納部１１２に格納される目的地情報が目的地の位置を示す位置情報、目的地のＩＤ等でも良い。
【００４６】
目的地格納部１１２に格納されている駐車場情報は、移動体を駐車する予定の駐車場に関する情報である。
【００４７】
受付部１２は、各種の指示や情報を受け付ける。各種の指示や情報とは、例えば、目的地を示す目的地情報である。また、各種の指示や情報とは、例えば、１または２以上の駐車場情報に対応する駐車場の中からの、一の駐車場の選択である。なお、１または２以上の駐車場情報は、後述する駐車場情報取得部１３１が取得した情報である。また、一の駐車場の選択は、通常、ユーザからの指示の入力である。
【００４８】
ここで、受け付けとは、通常、キーボードやマウス、タッチパネルなどの入力デバイスから入力された情報の受け付けである。ただし、受け付けとは、有線もしくは無線の通信回線を介して送信された情報の受信、光ディスクや磁気ディスク、半導体メモリなどの記録媒体から読み出された情報の受け付けなどを含む概念である。
【００４９】
各種の指示や情報の入力手段は、タッチパネルやキーボードやマウスやメニュー画面によるもの等、何でも良い。受付部１２は、テンキーやキーボード等の入力手段のデバイスドライバーや、メニュー画面の制御ソフトウェア等で実現され得る。
【００５０】
処理部１３は、各種の処理を行う。各種の処理とは、例えば、駐車場情報取得部１３１、目的地蓄積部１３２、現在位置情報取得部１３３、経路探索部１３４、経路案内部１３５、または判断部１３６が行う処理等である。
【００５１】
駐車場情報取得部１３１は、地図格納部１１１に格納されている地図情報を用いて、受付部１２が受け付けた目的地情報が示す目的地の周辺の駐車場に関する１または２以上の駐車場情報を取得する。
【００５２】
駐車場情報取得部１３１は、地図格納部１１１に格納されている地図情報を用いて、受付部１２が受け付けた目的地情報が示す目的地の周辺の駐車場であり、予め決められた条件を満たす１または２以上の駐車場の駐車場情報を取得しても良い。予め決められた条件とは、例えば、目的地情報までの距離の近さに関する条件、または徒歩でかかる時間の短さに関する条件である。また、予め決められた条件とは、例えば、収容台数の多さに関する条件、または駐車場の空きがあること等である。
【００５３】
駐車場情報取得部１３１は、通常、受付部１２における目的地情報の受け付けに応じて、駐車場情報を自動的に取得する。つまり、駐車場情報取得部１３１は、通常、受付部１２における目的地情報の受け付けをトリガーにして、駐車場情報を自動的に取得する。
【００５４】
ここで、目的地の周辺の駐車場とは、例えば、目的地から閾値の距離以内に存在する駐車場、目的地からの距離が近いＮの駐車場などである。つまり、目的地の周辺の駐車場は、目的地に行くユーザが移動体を駐車する可能性のあると考えられる駐車場を含む。なお、Ｎは、１以上の自然数である。
【００５５】
駐車場情報取得部１３１は、例えば、受付部１２が受け付けた目的地情報が示す位置から閾値以内の時間（例えば、５分以内）で、徒歩で行ける１または２以上の駐車場の駐車場情報を取得する。
【００５６】
また、駐車場情報取得部１３１は、例えば、受付部１２が受け付けた目的地情報が示す位置から近い順に、最大Ｎ個の駐車場の駐車場情報を取得しても良い。
【００５７】
また、駐車場情報取得部１３１は、受付部１２が受け付けた目的地情報が示す位置から閾値以内の時間（例えば、５分以内）で、徒歩で行け、かつ、受付部１２が受け付けた目的地情報が示す位置から近い順に、最大Ｎ個の駐車場の駐車場情報を取得する等しても良い。
【００５８】
目的地蓄積部１３２は、受付部１２が受け付けた目的地情報と、駐車場情報取得部１３１が取得した駐車場情報とを目的地格納部１１２に蓄積する。ここで、蓄積とは、例えば、目的地情報と駐車場情報とを対応付けて蓄積することである。
【００５９】
ここで、駐車場情報取得部１３１が取得した駐車場情報とは、駐車場情報取得部１３１が取得し２以上の駐車場情報のうちから、受付部１２が受け付けた選択に対応する一の駐車場情報であっても良い。
【００６０】
目的地蓄積部１３２は、駐車場情報取得部１３１が一つの駐車場情報のみを取得した場合は、自動的に受付部１２が受け付けた目的地情報と当該一つの駐車場情報とを目的地格納部１１２に蓄積しても良い。また、目的地蓄積部１３２は、駐車場情報取得部１３１が２以上の駐車場情報を取得した場合は、受付部１２が受け付けた目的地情報と受付部１２が受け付けた選択に対応する一の駐車場情報とを目的地格納部１１２に蓄積しても良い。
【００６１】
目的地蓄積部１３２は、受信部１６が受信した現在位置情報を目的地格納部１１２に蓄積しても良い。ここで、現在位置情報は、駐車場の位置を示す情報である。
【００６２】
現在位置情報取得部１３３は、現在地の位置を示す現在位置情報を取得する。現在位置情報取得部１３３は、例えば、ＧＰＳ受信機により実現される。現在位置情報取得部１３３は、例えば、車載装置２から現在位置情報を受信しても良い。現在位置情報を取得する技術は、他の方法でも良いことは言うまでもない。
【００６３】
経路探索部１３４は、地図情報を用いて、現在位置情報が示す現在地から駐車場情報に対応する示す駐車場までの経路探索を行い、経路情報を取得する。
【００６４】
経路探索部１３４は、地図情報を用いて、現在位置情報が示す現在地から受付部１２が受け付けた選択に対応する駐車場までの経路探索を行い、経路情報を取得しても良い。
【００６５】
経路探索部１３４は、駐車場情報に対応する示す駐車場から目的地情報が示す目的地までの経路探索をも行うことは好適である。そして、かかる場合、駐車場までの経路探索のアルゴリズムと駐車場から目的地までの経路探索のアルゴリズムとが異なるように、経路探索部１３４は、経路探索を行うことは好適である。
【００６６】
駐車場までの経路探索のアルゴリズムと駐車場から目的地までの経路探索のアルゴリズムとが異なる場合の例は、以下である。
（１）駐車場までの経路探索と駐車場から目的地までの経路探索とで、経路探索において使用する道路のパラメータ等の情報が異なる場合。経路探索部１３４は、駐車場までの経路探索では、道路の一方通行または通行規制を考慮し、駐車場から目的地までの経路探索では、道路の一方通行または通行規制を考慮しない。
（２）駐車場までの経路探索と駐車場から目的地までの経路探索とで、経路探索で使用する道路の種類が異なる場合。経路探索部１３４は、例えば、駐車場までの経路探索では、高速道路は用いて、細街路を用いないが、駐車場から目的地までの経路探索では、高速道路は用いず、細街路は用いる。
【００６７】
経路案内部１３５は、経路探索部１３４が取得した経路情報を用いて経路案内を行う。経路案内の技術は公知技術であるので、詳細な説明を省略する。
【００６８】
判断部１３６は、駐車場情報に対応する駐車場に到着した旨の情報を取得する。判断部１３６は、通常、駐車場情報に対応する駐車場に到着したか否かを判断し、駐車場情報に対応する駐車場に到着した旨の情報を取得する。判断部１３６は、例えば、現在位置情報が示す位置が、駐車場情報に対応する駐車場位置情報が示す位置と一致または、閾値以内の距離になった場合に、駐車場に到着したと判断する。また、判断部１３６は、例えば、現在位置情報が示す位置が、駐車場情報に対応する駐車場位置情報が示す位置と一致または、閾値以内の距離になり、かつエンジンがＯＦＦになった場合に、駐車場に到着したと判断する。なお、エンジンがＯＦＦになった旨の情報は、例えば、受信部１６が車載装置２から受信する。
【００６９】
また、判断部１３６は、駐車場情報に対応する駐車場に到着した旨の情報を、車載装置２から受信しても良い。かかる場合、駐車場情報に対応する駐車場に到着した旨の情報は、駐車場の位置を示す現在位置情報でも良い。
【００７０】
出力部１４は、地図情報を出力する。地図情報の出力態様は問わない。出力部１４は、鳥瞰図の地図を出力しても良いし、二次元の地図を出力しても良い。
【００７１】
出力部１４は、地図情報と、目的地格納部１１２に格納されている目的地情報と、目的地格納部１１２に格納されている駐車場情報とを出力しても良い。目的地情報の出力とは、通常、地図上への目的地情報の出力である。目的地情報の出力とは、例えば、地図上へ「Ｇ」等の目的地を示す図柄である目的地マークが目的地の位置に出力されることである。また、駐車場情報の出力とは、通常、地図上への駐車場情報の出力である。駐車場情報の出力とは、例えば、地図上へ「Ｐ」等の駐車場を示す図柄である駐車場マークが駐車場の位置に出力されることである。
【００７２】
出力部１４は、判断部１３６が、駐車場情報に対応する駐車場に到着したと判断した場合、地図情報の出力を変更する。なお、地図情報の出力の変更のトリガーは問わない。判断部１３６が、駐車場情報に対応する駐車場に到着したと判断した後、直ちに、出力部１４は地図情報の出力を変更しても良いし、判断部１３６が、駐車場情報に対応する駐車場に到着したと判断した後、ユーザの指示により、出力部１４は地図情報の出力を変更しても良い。
【００７３】
また、地図情報の出力の変更とは、例えば、以下の（１）から（４）である。
（１）出力部１４は、駐車場位置情報に対応する駐車場に到着するまでは、車載ナビゲーション用の地図情報を出力し、判断部１３６が、駐車場位置情報に対応する駐車場に到着したと判断した場合、徒歩ナビゲーション用の地図情報を出力する。
【００７４】
なお、出力部１４は、車載ナビゲーション用の地図情報と、徒歩ナビゲーション用の地図情報とを、通常、異なる出力態様で出力する。車載ナビゲーション用の地図情報は、例えば、鳥瞰図の地図であり、徒歩ナビゲーション用の地図情報は、例えば、二次元の地図である。また、出力部１４は、車載ナビゲーション用の地図情報を、例えば、始点がスタート時の現在位置であるとして、始点から現在地の経路を出力し、徒歩ナビゲーション用の地図情報を、例えば、始点が駐車場情報に対応する駐車場であるとして、始点から現在地の経路を出力する。
【００７５】
また、異なる出力態様とは、例えば、地図の種類が異なる（上述した、鳥瞰図と二次元の地図等）、地図の背景色が異なる、地図の縮尺が異なる等である。
（２）地図情報の出力の変更とは、地図上に出力する情報の種類を変更することでも良い。出力部１４は、例えば、駐車場に到着するまでは、ドライブでランドマークになり得る地点やガソリンスタンドといった種類の情報を出力し、駐車場から目的地までは、徒歩でランドマークになり得る地点を出力し、ガソリンスタンドは出力しない。
（３）地図情報の出力の変更とは、地図上に出力する道路の種類を変更することでも良い。出力部１４は、例えば、駐車場に到着するまでは、高速道路は出力し、細街路は出力せず、駐車場から目的地までは、高速道路は出力せず、細街路は出力する。
（４）経路探索部１３４における経路探索のアルゴリズムが異なるために、駐車場に到着するまでに出力する経路と、駐車場から目的地までに出力する経路とが異なる。この場合は、仮に同じ出発地と目的地であっても、経路探索のアルゴリズムが異なるために、経路が異なる場合である。
【００７６】
ここで、出力とは、通常、ディスプレイへの表示であるが、プロジェクターを用いた投影、プリンタでの印字、音出力、外部の装置への送信、記録媒体への蓄積、他の処理装置や他のプログラムなどへの処理結果の引渡しなどを含む概念である。
【００７７】
送信部１５は、目的地格納部１１２に格納されている目的地情報と駐車場情報のうちのいずれか１以上を車載装置２に送信する。送信部１５は、目的地情報と駐車場情報の両方を車載装置２に送信することは好適である。送信された目的地情報または／および駐車場情報は、車載装置２において表示されたり、経路探索や経路案内に利用されたりする。
【００７８】
受信部１６は、車載装置２から現在位置情報を受信する。受信部１６は、車載装置２が搭載されている移動体が予め決められた条件を満たした場合に、車載装置２から現在位置情報を受信することは好適である。ここで、決められた条件とは、駐車場に到着すること、閾値よりも低速になること、エンジンがＯＦＦになること等である。受信部１６は、車載装置２から現在位置情報を含む駐車場到着情報を受信しても良い。駐車場到着情報とは、駐車場に到着した旨を示す情報である。
【００７９】
車載装置２を構成する車載格納部２０は、種々の情報を格納し得る。種々の情報とは、例えば、後述する地図情報、目的地情報、駐車場情報等である。
【００８０】
車載受付部２１は、各種の指示や情報を受け付ける。各種の指示や情報とは、例えば、経路案内のボリュームの変更指示、地図情報の出力の変更指示等である。
【００８１】
各種の指示や情報は、通常、ユーザからの入力である。ここで、受け付けとは、通常、キーボードやマウス、タッチパネルなどの入力デバイスから入力された情報の受け付けである。ただし、受け付けとは、有線もしくは無線の通信回線を介して送信された情報の受信、光ディスクや磁気ディスク、半導体メモリなどの記録媒体から読み出された情報の受け付けなどを含む概念である。
【００８２】
車載受信部２２は、各種の指示や情報を端末装置１から受信する。各種の指示や情報とは、例えば、目的地情報、駐車場情報である。
【００８３】
車載処理部２３は、各種の処理を行う。各種の処理は、例えば、現在位置情報を取得する処理、経路探索、経路案内等である。車載処理部２３は、例えば、車載受信部２２が受信した駐車場情報を目的地に設定し、経路探索を行う。車載処理部２３は、例えば、車載受信部２２が受信した目的地情報の位置に目的地マークを設定する。
【００８４】
車載処理部２３は、駐車場情報に対応する駐車場に到着したか否かを判断しても良い。車載処理部２３は、例えば、現在位置情報が示す位置が、駐車場情報に対応する駐車場位置情報が示す位置と一致または、閾値以内の距離になった場合に、駐車場に到着したと判断する。また、車載処理部２３は、例えば、現在位置情報が示す位置が、駐車場情報に対応する駐車場位置情報が示す位置と一致または、閾値以内の距離になり、かつエンジンがＯＦＦになった場合に、駐車場に到着したと判断する。なお、車載装置２が、エンジンがＯＦＦになった旨の情報を取得する技術は、公知技術である。
【００８５】
車載出力部２４は、各種の出力を行う。各種の出力とは、例えば、地図情報の出力、経路案内等である。
【００８６】
車載送信部２５は、各種の情報を端末装置１に送信する。各種の情報は、例えば、現在位置情報、駐車場到着情報である。車載送信部２５は、車載装置２が搭載されている移動体が予め決められた条件を満たした場合に、現在位置情報、または駐車場到着情報を端末装置１に送信することは好適である。また、車載送信部２５は、連続して現在位置情報を端末装置１に送信しても良い。また、車載送信部２５は、連続して、定期的に現在位置情報を端末装置１に送信しても良い。なお、予め決められた条件とは、駐車場に到着したことを検知するための条件である。予め決められた条件とは、駐車場に到着すること、閾値よりも低速になること、エンジンがＯＦＦになること等である。
【００８７】
格納部１１、地図格納部１１１、目的地格納部１１２、車載格納部２０は、不揮発性の記録媒体が好適であるが、揮発性の記録媒体でも実現可能である。
【００８８】
格納部１１に情報が記憶される過程は問わない。例えば、記録媒体を介して情報が格納部１１で記憶されるようになってもよく、通信回線等を介して送信された情報が格納部１１で記憶されるようになってもよく、あるいは、入力デバイスを介して入力された情報が格納部１１で記憶されるようになってもよい。
【００８９】
処理部１３、駐車場情報取得部１３１、目的地蓄積部１３２、現在位置情報取得部１３３、経路探索部１３４、経路案内部１３５、判断部１３６、車載処理部２３は、通常、ＭＰＵやメモリ等から実現され得る。処理部１３等の処理手順は、通常、ソフトウェアで実現され、当該ソフトウェアはＲＯＭ等の記録媒体に記録されている。但し、ハードウェア（専用回路）で実現しても良い。
【００９０】
出力部１４は、ディスプレイやスピーカー等の出力デバイスを含むと考えても含まないと考えても良い。出力部１４は、出力デバイスのドライバーソフトまたは、出力デバイスのドライバーソフトと出力デバイス等で実現され得る。
【００９１】
送信部１５、車載送信部２５は、通常、無線または有線の通信手段で実現されるが、放送手段で実現されても良い。送信部１５等は、Ｂｌｕｅｔｏｏｔｈ（登録商標）、ＮＦＣ等の近距離無線通信により実現されることは好適である。
【００９２】
受信部１６、車載受信部２２は、通常、無線または有線の通信手段で実現されるが、放送を受信する手段で実現されても良い。
【００９３】
次に、情報システムの動作について説明する。まず、端末装置１の動作について、図３のフローチャートを用いて説明する。
【００９４】
（ステップＳ３０１）受付部１２は、目的地情報を受け付けたか否かを判断する。目的地情報を受け付ければステップＳ３０２に行き、目的地情報を受け付けなければステップＳ３０１に戻る。なお、目的地情報を受け付ける経緯は問わない。
【００９５】
（ステップＳ３０２）目的地蓄積部１３２は、ステップＳ３０１で受け付けられた目的地情報を目的地格納部１１２に蓄積する。なお、かかる蓄積は、一時的な蓄積でも良い。
【００９６】
（ステップＳ３０３）駐車場情報取得部１３１は、ステップＳ３０１で受け付けられた目的地情報が示す目的地の周辺の１以上の駐車場の駐車場情報を取得する。
【００９７】
（ステップＳ３０４）出力部１４は、ステップＳ３０３で取得された１以上の駐車場の駐車場情報を出力する。なお、ここで、出力部１４は、通常、地図情報も出力し、かかる地図情報の上に、駐車場情報を出力する。駐車場情報の出力とは、通常、駐車場情報が示す駐車場の位置に駐車場マークを出力することである。
【００９８】
（ステップＳ３０５）処理部１３は、ステップＳ３０３で取得された駐車場情報が２以上であるか否かを判断する。２以上であればステップＳ３０６に行き、１つであればステップＳ３０７に行く。
【００９９】
（ステップＳ３０６）受付部１２は、２以上の駐車場情報のうちの、一の駐車場情報の選択を受け付けたか否かを判断する。一の駐車場情報の選択を受け付けた場合はステップＳ３０７に行き、一の駐車場情報の選択を受け付けない場合はステップＳ３０６に戻る。
【０１００】
（ステップＳ３０７）目的地蓄積部１３２は、ステップＳ３０３で取得された１つの駐車場情報またはステップＳ３０６で受け付けられた選択に対応する１つの駐車場情報を、目的地格納部１１２に蓄積する。
【０１０１】
（ステップＳ３０８）経路探索部１３４は、目的地格納部１１２の駐車場情報に対応する駐車場を、目的地に設定する。なお、ステップＳ３０７の処理が目的地の設定処理である場合、本ステップは省略される。
【０１０２】
（ステップＳ３０９）経路探索部１３４は、設定された目的地までの経路探索を行い、経路情報を取得する。なお、経路探索前に、通常、現在位置情報取得部１３３は現在位置情報を取得している、とする。
【０１０３】
（ステップＳ３１０）出力部１４は、地図格納部１１１の地図情報等を出力する。地図情報等の出力とは、通常、地図情報と、目的地格納部１１２の目的地情報と駐車場情報との出力である。
【０１０４】
（ステップＳ３１１）送信部１５は、目的地格納部１１２に格納されている駐車場情報、または目的地情報と駐車場情報を車載装置２に送信する。
【０１０５】
（ステップＳ３１２）現在位置情報取得部１３３は、現在位置情報を取得する。
【０１０６】
（ステップＳ３１３）経路案内部１３５は、ステップＳ３０９で取得された経路情報、およびステップＳ３１２で取得された現在位置情報を用いて、経路案内を行う。
【０１０７】
（ステップＳ３１４）判断部１３６は、駐車場に到着したか否かを判断する。駐車場に到着した場合はステップＳ３１５に行き、駐車場に到着しない場合はステップＳ３１２に行く。なお、判断部１３６は、受信された駐車場に到着した旨の情報を用いて、駐車場に到着したと判断しても良い。
【０１０８】
（ステップＳ３１５）現在位置情報取得部１３３は、現在位置情報を取得する。
【０１０９】
（ステップＳ３１６）処理部１３は、ステップＳ３１５で取得された現在位置情報を、経路案内の始点として、格納部１１に蓄積する。なお、処理部１３は、受信部１６が現在位置情報を受信した場合、当該現在位置情報を、経路案内の始点として、格納部１１に蓄積しても良い。かかる場合、ステップＳ３１５は省略可能である。なお、経路案内の始点は、駐車場位置情報である。
【０１１０】
（ステップＳ３１７）処理部１３は、目的地を駐車場から目的地情報が示す目的地に変更する。
【０１１１】
（ステップＳ３１８）経路探索部１３４は、ステップＳ３１５で取得された現在位置情報と、目的地情報とを用いて、徒歩用の経路を探索し、経路情報を取得する。
【０１１２】
（ステップＳ３１９）出力部１４は、地図格納部１１１の地図情報等を出力する。ここでの地図情報等の出力とは、通常、地図情報と、目的地格納部１１２の目的地情報の出力である。
【０１１３】
（ステップＳ３２０）現在位置情報取得部１３３は、現在位置情報を取得する。
【０１１４】
（ステップＳ３２１）経路案内部１３５は、ステップＳ３１８で取得された経路情報、およびステップＳ３２０で取得された現在位置情報を用いて、目的地までの経路案内を行う。
【０１１５】
（ステップＳ３２２）経路案内部１３５は、目的地に到着したか否かを判断する。目的地に到着したと判断された場合は処理を終了し、目的地に到着したと判断されない場合はステップＳ３２０に戻る。
【０１１６】
次に、車載装置２の動作について、図４のフローチャートを用いて説明する。
【０１１７】
（ステップＳ４０１）車載受信部２２は、端末装置１から駐車場情報等を受信したか否かを判断する。駐車場情報等を受信すればステップＳ４０２に行き、駐車場情報等を受信しなければステップＳ４０１に戻る。なお、ここで駐車場情報等とは、駐車場情報、または駐車場情報と目的地情報である。
【０１１８】
（ステップＳ４０２）車載処理部２３は、ステップＳ４０１で受信された駐車場情報等を、車載格納部２０に蓄積する。
【０１１９】
（ステップＳ４０３）車載処理部２３は、現在位置情報を取得する。
【０１２０】
（ステップＳ４０４）車載処理部２３は、駐車場情報と現在位置情報とを用いて、駐車場に到着したか否かを判断する。駐車場に到着した場合はステップＳ４０５に行き、駐車場に到着しない場合はステップＳ４０３に戻る。
【０１２１】
（ステップＳ４０５）車載送信部２５は、現在位置情報を端末装置１に送信する。処理を終了する。
【０１２２】
なお、図４のフローチャートにおいて、車載装置２は、経路探索し、経路案内することは好適である。ここで、経路探索は、現在位置情報が示す現在地から、駐車場情報に対応する駐車場までの経路の探索である。
【０１２３】
以下、本実施の形態における情報システムの具体的な動作について説明する。情報システムの概念図は図１である。
【０１２４】
今、ユーザＡは、目的地を設定するために、図５（Ａ）に示すように、端末装置１に、「有馬温泉」を入力した、とする。そして、端末装置１は、「有馬温泉」を受け付ける。そして、処理部１３は、「有馬温泉」を用いて、目的地の候補を検索し、図５（Ｂ）に示すような地点のリストを出力する。
【０１２５】
次に、ユーザは、図５（Ｂ）の地点のリストから、「有馬温泉」選択した、とする。すると、受付部１２は、目的地情報「有馬温泉」を受け付ける。なお、以上の処理は、公知技術であるので、詳細な説明を省略する。
【０１２６】
次に、目的地蓄積部１３２は、受け付けられた目的地情報「有馬温泉」を目的地格納部１１２に蓄積する。
【０１２７】
次に、駐車場情報取得部１３１は、目的地情報「有馬温泉」が示す目的地の周辺の１以上の駐車場の駐車場情報を取得する。駐車場情報取得部１３１は、例えば、目的地情報「有馬温泉」が示す目的地の位置情報（ｘ１，ｙ１）を、地図情報から取得する。そして、駐車場情報取得部１３１は、位置情報（ｘ１，ｙ１）から、例えば、徒歩で５分以内に行ける駐車場位置情報を含む１以上の駐車場情報を取得する。
【０１２８】
次に、出力部１４は、取得された１以上の駐車場の駐車場情報を出力する。かかる出力例は、図６である。なお、図６において、３つの駐車場情報が出力されている。また、ここでの駐車場情報は、駐車場マーク「Ｐ」である。
【０１２９】
次に、ユーザは、出力されている駐車場情報のうち、一の駐車場情報６０１の選択指示を入力した、とする。すると、受付部１２は、２以上の駐車場情報のうちの、一の駐車場情報６０１の選択を受け付ける。
【０１３０】
次に、目的地蓄積部１３２は、受け付けられた選択指示に対応する１つの駐車場情報６０１を、目的地格納部１１２に蓄積する。
【０１３１】
次に、経路探索部１３４は、目的地格納部１１２の駐車場情報６０１に対応する駐車場を、目的地に設定する。
【０１３２】
次に、現在位置情報取得部１３３は現在位置情報を取得する。
【０１３３】
次に、経路探索部１３４は、現在位置情報が示す現在地から、設定された目的地までの経路探索を行い、経路情報を取得する。
【０１３４】
次に、出力部１４は、地図格納部１１１の地図情報、駐車場情報６０１、経路情報等を出力する。かかる出力例は、図７である。なお、図７において、目的地情報も出力しても良いことは言うまでもない。また、出力される地図情報は、車載ナビゲーション用の地図情報である。
【０１３５】
次に、送信部１５は、目的地格納部１１２に格納されている目的地情報と駐車場情報とを車載装置２に送信する。
【０１３６】
以後、駐車場に到着するまで、端末装置１は、以下の処理を繰り返す。
（１）現在位置情報取得部１３３は、現在位置情報を取得する。
（２）経路案内部１３５は、取得された経路情報、および取得された現在位置情報を用いて、経路案内を行う。
【０１３７】
次に、車載装置２の車載受信部２２は、端末装置１から目的地情報と駐車場情報とを受信する。
【０１３８】
次に、車載処理部２３は、受信された目的地情報と駐車場情報とを車載格納部２０に蓄積する。
【０１３９】
次に、車載処理部２３は、現在位置情報を取得する。
【０１４０】
次に、車載処理部２３は、駐車場情報と現在位置情報とを用いて、駐車場に到着したか否かを判断する。到着したと判断された場合、車載送信部２５は、現在位置情報を端末装置１に送信する。
【０１４１】
次に、端末装置１の受信部１６は、現在位置情報を含む駐車場到着情報を車載装置２から受信する。なお、この駐車場到着情報は、駐車場に到着した旨を示す情報である。
【０１４２】
次に、判断部１３６は、駐車場に到着した、と判断する。
【０１４３】
そして、処理部１３は、受信された現在位置情報を、駐車場位置情報として、格納部１１に蓄積する。
【０１４４】
次に、処理部１３は、目的地を駐車場から目的地情報が示す目的地に変更する。
【０１４５】
次に、経路探索部１３４は、取得された現在位置情報と、目的地情報とを用いて、徒歩用の経路を探索し、経路情報を取得する。
【０１４６】
次に、出力部１４は、地図格納部１１１の地図情報、探索された経路情報、目的地情報等を出力する。なお、ここで出力する地図情報は、駐車場までに出力されていた地図情報とは、その出力態様が異なる。
【０１４７】
以後、目的地に到着するまで、現在位置情報取得部１３３は、現在位置情報を取得し、経路案内部１３５は、経路情報および現在位置情報を用いて、目的地までの経路案内を行う。
【０１４８】
以上、本実施の形態によれば、対応付いた駐車場が存在しない目的地を示す目的地情報が受け付けられた場合でも、目的地周辺の駐車場の位置情報を取得し、容易に利用できる。
【０１４９】
また、本実施の形態によれば、駐車場に到着した後に、徒歩によるナビゲーションが容易になるように、駐車場に到着する前の車載用ナビの地図情報から徒歩用ナビの地図情報に、出力を変更できる。
【０１５０】
また、本実施の形態によれば、駐車場に到着する前と到着した後とは、それぞれの適切な経路を提示できる。
【０１５１】
なお、本実施の形態によれば、端末装置１は、車載装置２と通信をしなくても良い。かかる場合の端末装置１の構造を示すブロック図は、図８である。
【０１５２】
また、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、このことは、本明細書における他の実施の形態においても該当する。なお、本実施の形態における端末装置１を実現するソフトウェアは、以下のようなプログラムである。つまり、このプログラムは、コンピュータがアクセス可能な記録媒体は、地図情報を格納し得る地図格納部と、目的地を示す目的地情報と、当該目的地情報が示す目的地の周辺の駐車場の位置を示す駐車場情報とを格納する目的地格納部とを具備し、コンピュータを、目的地を示す目的地情報を受け付ける受付部と、前記地図情報を用いて、前記受付部が受け付けた目的地情報が示す目的地の周辺の駐車場に関する駐車場情報を取得する駐車場情報取得部と、前記受付部が受け付けた目的地情報と、前記駐車場情報取得部が取得した駐車場情報とを前記目的地格納部に蓄積する目的地蓄積部として、機能させるためのプログラム、である。
【０１５３】
また、上記プログラムにおいて、現在地の位置を示す現在位置情報を取得する現在位置情報取得部と、前記地図情報を用いて、前記現在位置情報が示す現在地から前記駐車場情報に対応する駐車場までの経路探索を行い、経路情報を取得する経路探索部と、前記経路情報を用いて経路案内を行う経路案内部と、前記地図情報と、前記目的地格納部に格納される目的地情報と、前記目的地格納部に格納される駐車場情報とを出力する出力部として、コンピュータをさらに機能させるプログラムであることは好適である。
【０１５４】
また、上記プログラムにおいて、前記駐車場情報に対応する駐車場に到着した旨の情報を取得する判断部として、コンピュータをさらに機能させ、前記出力部は、前記判断部が、前記駐車場情報に対応する駐車場に到着した旨の情報を取得した場合、前記地図情報の出力を変更するものとして、コンピュータを機能させるプログラムであることは好適である。
【０１５５】
また、上記プログラムにおいて、前記出力部は、前記駐車場情報に対応する駐車場に到着するまでは、車載ナビゲーション用の地図情報を出力し、前記判断部が、前記駐車場情報に対応する駐車場に到着したと判断した場合、徒歩ナビゲーション用の地図情報を出力するものとして、コンピュータを機能させるプログラムであることは好適である。
【０１５６】
また、上記プログラムにおいて、前記経路探索部は、前記駐車場情報に対応する示す駐車場から前記目的地情報が示す目的地までの経路探索をも行い、かつ駐車場までの経路探索のアルゴリズムと駐車場から目的地までの経路探索のアルゴリズムとが異なるように、経路探索を行うものとして、コンピュータを機能させるプログラムであることは好適である。
【０１５７】
また、上記プログラムにおいて、前記駐車場情報取得部は、前記受付部が受け付けた目的地情報が示す目的地の周辺の駐車場の位置を示す１または２以上の駐車場情報を取得し、前記受付部は、前記駐車場情報取得部が取得した１または２以上の駐車場情報に対応する駐車場の中から、一の駐車場の選択を受け付け、前記目的地蓄積部は、前記受付部が受け付けた目的地情報と、前記受付部が受け付けた選択に対応する駐車場情報とを前記目的地格納部に蓄積するものとして、コンピュータを機能させるプログラムであることは好適である。
【０１５８】
また、上記プログラムにおいて、前記目的地蓄積部は、前記駐車場情報取得部が一つの駐車場情報のみを取得した場合は、前記受付部が受け付けた目的地情報と当該一つの駐車場情報とを目的地格納部に自動的に蓄積し、前記駐車場情報取得部が２以上の駐車場情報を取得した場合は、前記受付部が受け付けた目的地情報と前記受付部が受け付けた選択に対応する一の駐車場情報とを目的地格納部に蓄積するものとして、コンピュータを機能させるプログラムであることは好適である。
【０１５９】
また、上記プログラムにおいて、前記目的地格納部に格納されている目的地情報と駐車場情報のうちのいずれか１以上を車載装置に送信する送信部として、コンピュータをさらに機能させるプログラムであることは好適である。
【０１６０】
また、上記プログラムにおいて、車載装置から現在位置情報を受信する受信部として、コンピュータをさらに機能させるプログラムであり、前記目的地蓄積部は、前記受信部が受信した現在位置情報を前記目的地格納部に蓄積するものとして、コンピュータを機能させるプログラムであることは好適である。
【０１６１】
また、上記プログラムにおいて、前記受信部は、前記車載装置が搭載されている移動体が予め決められた条件を満たした場合に、前記車載装置から現在位置情報を受信するものとして、コンピュータを機能させるプログラムであることは好適である。
【０１６２】
また、図９は、本明細書で述べたプログラムを実行して、上述した種々の実施の形態の端末装置１等を実現するコンピュータの外観を示す。上述の実施の形態は、コンピュータハードウェア及びその上で実行されるコンピュータプログラムで実現され得る。図９は、このコンピュータシステム３００の概観図であり、図１０は、システム３００のブロック図である。
【０１６３】
図９において、コンピュータシステム３００は、ＣＤ−ＲＯＭドライブを含むコンピュータ３０１と、キーボード３０２と、マウス３０３と、モニタ３０４とを含む。
【０１６４】
図１０において、コンピュータ３０１は、ＣＤ−ＲＯＭドライブ３０１２に加えて、ＭＰＵ３０１３と、ＭＰＵ３０１３、ＣＤ−ＲＯＭドライブ３０１２に接続されたバス３０１４と、ブートアッププログラム等のプログラムを記憶するためのＲＯＭ３０１５と、ＭＰＵ３０１３に接続され、アプリケーションプログラムの命令を一時的に記憶するとともに一時記憶空間を提供するためのＲＡＭ３０１６と、アプリケーションプログラム、システムプログラム、及びデータを記憶するためのハードディスク３０１７とを含む。ここでは、図示しないが、コンピュータ３０１は、さらに、ＬＡＮへの接続を提供するネットワークカードを含んでも良い。
【０１６５】
コンピュータシステム３００に、上述した実施の形態のサーバ装置等の機能を実行させるプログラムは、ＣＤ−ＲＯＭ３１０１に記憶されて、ＣＤ−ＲＯＭドライブ３０１２に挿入され、さらにハードディスク３０１７に転送されても良い。これに代えて、プログラムは、図示しないネットワークを介してコンピュータ３０１に送信され、ハードディスク３０１７に記憶されても良い。プログラムは実行の際にＲＡＭ３０１６にロードされる。プログラムは、ＣＤ−ＲＯＭ３１０１またはネットワークから直接、ロードされても良い。
【０１６６】
プログラムは、コンピュータ３０１に、上述した実施の形態のサーバ装置等の機能を実行させるオペレーティングシステム（ＯＳ）、またはサードパーティープログラム等は、必ずしも含まなくても良い。プログラムは、制御された態様で適切な機能（モジュール）を呼び出し、所望の結果が得られるようにする命令の部分のみを含んでいれば良い。コンピュータシステム３００がどのように動作するかは周知であり、詳細な説明は省略する。
【０１６７】
なお、上記プログラムにおいて、情報を送信するステップや、情報を受信するステップなどでは、ハードウェアによって行われる処理、例えば、送信ステップにおけるモデムやインターフェースカードなどで行われる処理（ハードウェアでしか行われない処理）は含まれない。
【０１６８】
また、上記プログラムを実行するコンピュータは、単数であってもよく、複数であってもよい。すなわち、集中処理を行ってもよく、あるいは分散処理を行ってもよい。
【０１６９】
また、上記各実施の形態において、一の装置に存在する２以上の通信手段は、物理的に一の媒体で実現されても良いことは言うまでもない。
【０１７０】
また、上記各実施の形態において、各処理（各機能）は、単一の装置（システム）によって集中処理されることによって実現されてもよく、あるいは、複数の装置によって分散処理されることによって実現されてもよい。
【０１７１】
本発明は、以上の実施の形態に限定されることなく、種々の変更が可能であり、それらも本発明の範囲内に包含されるものであることは言うまでもない。
【産業上の利用可能性】
【０１７２】
以上のように、本発明にかかる情報システムは、対応付いた駐車場が存在しない目的地を示す目的地情報が受け付けられた場合でも、目的地周辺の駐車場の位置情報を取得し、容易に利用できる、という効果を有し、情報システム等として有用である。
【符号の説明】
【０１７３】
１  端末装置
２  車載装置
１１  格納部
１２  受付部
１３  処理部
１４  出力部
１５  送信部
１６  受信部
２０  車載格納部
２１  車載受付部
２２  車載受信部
２３  車載処理部
２４  車載出力部
２５  車載送信部
１１１  地図格納部
１１２  目的地格納部
１３１  駐車場情報取得部
１３２  目的地蓄積部
１３３  現在位置情報取得部
１３４  経路探索部
１３５  経路案内部
１３６  判断部
【図１】
0006564190.tif 000002
【図２】
0006564190.tif 000003
【図３】
0006564190.tif 000004
【図４】
0006564190.tif 000005
【図５】
0006564190.tif 000006
【図６】
0006564190.tif 000007
【図７】
0006564190.tif 000008
【図８】
0006564190.tif 000009
【図９】
0006564190.tif 000010
【図１０】
0006564190.tif 000011